【事件の表示】
　特許第３３６４５９９号「熱転写用トナー及び転写法」の請求項１ないし１０に係る特許に対する特許異議の申立てについて、次のとおり決定する。
【結　論】
　訂正を認める。
　特許第３３６４５９９号の請求項１ないし６に係る特許を取り消す。
　同請求項７ないし９に係る特許を維持する。
【理　由】
１　手続の経緯
　本件特許第３３６４５９９号の請求項１ないし１０に係る発明は、平成１１年５月１４日に出願され、平成１４年１０月２５日に設定の登録がなされた。本件特許公報は平成１５年１月８日に発行され、その特許に対して、オリヱント化学工業株式会社より特許異議の申立てがなされ、取消理由通知がなされ、その指定期間内である平成１６年７月１３日に訂正請求書が提出され、異議申立人に対し審尋がなされ、平成１６年１０月４日にその回答書が提出された。
　
２　訂正の適否についての判断
２−１　訂正の内容
　本件訂正請求は、本件特許明細書を、訂正明細書のとおりに訂正することを求めるものであり、その訂正の内容は、次のとおりである。
（ａ）特許請求の範囲の請求項１の記載を、
「一般式（Ｉ）で示す金属イオンとカルボキシイオンを有する有機化合物の塩及び一般式（ＩＩ）で示す複数の金属錯体イオンとカルボキシイオンを有する有機化合物の塩を含有する帯電制御剤０．３〜５．０重量％を含み、
ｎ［Ｒ−ＣＯＯ］−・［Ｍ］ｎ＋　（Ｉ）
ｎ［Ｒ−ＣＯＯ］−・［ＣＭ］ｎ＋　（ＩＩ）
（Ｍは金属、ＣＭは金属錯体、Ｒは置換基を有してもよいアリール基、ｎは１〜８の整数を示す）
布、皮革又は樹脂製である被転写体に転写するとき、熱転写用トナー中で均一に分散された帯電制御剤に含まれる金属が被転写体と結合することを特徴とする熱転写用トナー。」と訂正する。
（ｂ）特許請求の範囲の請求項７の記載を、
「一般式（Ｉ）で示す金属イオンとカルボキシイオンを有する有機化合物の塩及び一般式（ＩＩ）で示す複数の金属錯体イオンとカルボキシイオンを有する有機化合物の塩を含有する帯電制御剤０．３〜５．０重量％を含む熱転写用トナーを使用して電子写真方式により、シートに原図を複写する工程と、
ｎ［Ｒ−ＣＯＯ］−・［Ｍ］ｎ＋　（Ｉ）
ｎ［Ｒ−ＣＯＯ］−・［ＣＭ］ｎ＋　（ＩＩ）
（Ｍは金属、ＣＭは金属錯体、Ｒは置換基を有してもよいアリール基、ｎは１〜８の整数を示す）
原図を複写したシートを布、皮革又は樹脂製である被転写体に密着させて加熱して、熱転写用トナー中で均一に分散された帯電制御剤に含まれる金属を被転写体と結合させる工程とを含むことを特徴とする転写法。」と訂正する。
（ｃ）特許請求の範囲の請求項９を削除する。
（ｄ）請求項９の削除に伴い、訂正前の請求項１０を「請求項９」に繰り上げる。
（ｅ）明細書の段落【０００６】に記載の「・・・帯電制御剤０．３〜５．０重量％を含む。
ｎ［Ｒ−ＣＯＯ］−・［Ｍ］ｎ＋　（Ｉ）
ｎ［Ｒ−ＣＯＯ］−・［ＣＭ］ｎ＋　（ＩＩ）
（Ｍは金属、ＣＭは金属錯体、Ｒは置換基を有してもよいアリール基、ｎは１〜８の整数を示す）帯電制御剤の含有量が・・・」を、「・・・帯電制御剤０．３〜５．０重量％を含み、
ｎ［Ｒ−ＣＯＯ］−・［Ｍ］ｎ＋　（Ｉ）
ｎ［Ｒ−ＣＯＯ］−・［ＣＭ］ｎ＋　（ＩＩ）
（Ｍは金属、ＣＭは金属錯体、Ｒは置換基を有してもよいアリール基、ｎは１〜８の整数を示す）
布、皮革又は樹脂製である被転写体に転写するとき、熱転写用トナー中で均一に分散された帯電制御剤に含まれる金属が被転写体と結合する。帯電制御剤の含有量が・・・」と訂正する。
（ｆ）明細書の段落【０００７】に記載の「被転写体にトナーが均一に付着定着し耐久性が向上する。本発明による転写法は、前記熱転写用トナーを使用して電子写真方式により、文字、図柄模様等の原図をシートに複写する工程と、原図を複写したシートを被転写体に密着させて加熱する工程とを含む。」を、「被転写体にトナーが均一に付着定着し耐久性が向上する。本発明による転写法は、 一般式（Ｉ）で示す金属イオンとカルボキシイオンを有する有機化合物の塩及び一般式（ＩＩ）で示す複数の金属錯体イオンとカルボキシイオンを有する有機化合物の塩を含有する帯電制御剤０．３〜５．０重量％を含む熱転写用トナーを使用して電子写真方式により、シートに原図を複写する工程と、
ｎ［Ｒ−ＣＯＯ］−・［Ｍ］ｎ＋　（Ｉ）
ｎ［Ｒ−ＣＯＯ］−・［ＣＭ］ｎ＋　（ＩＩ）
（Ｍは金属、ＣＭは金属錯体、Ｒは置換基を有してもよいアリール基、ｎは１〜８の整数を示す）
原図を複写したシートを布、皮革又は樹脂製である被転写体に密着させて加熱して、熱転写用トナー中で均一に分散された帯電制御剤に含まれる金属を被転写体と結合させる工程とを含む。」と訂正する。
　
２−２　訂正の目的の適否、新規事項の有無、及び特許請求の範囲の実質上の拡張又は変更の有無
　訂正（ａ）は、「熱転写用トナー」を、「布、皮革又は樹脂製である被転写体」への転写に用いるとき、「熱転写用トナー中で均一に分散された帯電制御剤に含まれる金属が被転写体と結合する」ものに限定するものであるから、特許請求の範囲の減縮を目的とする訂正に該当する。
　訂正（ｂ）は、引用した請求項１が訂正されて「布、皮革又は樹脂製である被転写体に転写するとき、熱転写用トナー中で均一に分散された帯電制御剤に含まれる金属が被転写体と結合する」という限定が付加されたため、引用形式では不明りょうとなる記載を独立形式にして明りょうとするとともに、被転写体を「布、皮革又は樹脂製であるもの」に限定し、「転写法」における加熱工程を「熱転写用トナー中で均一に分散された帯電制御剤に含まれる金属を被転写体と結合させる」ものに限定するものであるから、明りょうでない記載の釈明及び特許請求の範囲の減縮を目的とする訂正に該当する。
　訂正（ｃ）は、請求項の削除であるから特許請求の範囲の減縮を目的とする訂正に該当する。
　訂正（ｄ）は、訂正（ｃ）による請求項の削除に伴ない、不連続となる番号を修正するものであるから、明りょうでない記載の釈明を目的とする訂正である。
　訂正（ｅ）、（ｆ）は、訂正（ａ）、（ｂ）による特許請求の範囲の訂正に伴ない、特許請求の範囲と発明の詳細な説明との間に生じた不整合を正すものであるから、明りょうでない記載の釈明を目的とする訂正に該当する。
　そして、上記訂正（ａ）、（ｂ）は、願書に添付された明細書の【請求項９】及び段落【０００７】の記載に基づくものであり、願書に添付された明細書に記載された事項の範囲内の訂正であり、実質上特許請求の範囲を拡張し又は変更するものではない。また、他の訂正も、願書に添付された明細書に記載された事項の範囲内の訂正であり、実質上特許請求の範囲を拡張し又は変更するものではない。
　
２−３　訂正の適否に関する結論
　以上のとおりであるから、本件訂正は、特許法第１２０条の４第２項及び同条第３項で準用する特許法第１２６条第２項及び第３項の規定に適合するので、当該訂正を認める。
　
３　特許異議申立について
３−１　本件発明
  上記したように訂正が認められるから、本件の請求項１ないし９に係る発明は、訂正請求書に添付された訂正明細書の特許請求の範囲の請求項１ないし９に記載された事項により特定される次のとおりのものである。
「【請求項１】　一般式（Ｉ）で示す金属イオンとカルボキシイオンを有する有機化合物の塩及び一般式（ＩＩ）で示す複数の金属錯体イオンとカルボキシイオンを有する有機化合物の塩を含有する帯電制御剤０．３〜５．０重量％を含み、
ｎ［Ｒ−ＣＯＯ］−・［Ｍ］ｎ＋　（Ｉ）
ｎ［Ｒ−ＣＯＯ］−・［ＣＭ］ｎ＋　（ＩＩ）
（Ｍは金属、ＣＭは金属錯体、Ｒは置換基を有してもよいアリール基、ｎは１〜８の整数を示す）
布、皮革又は樹脂製である被転写体に転写するとき、熱転写用トナー中で均一に分散された帯電制御剤に含まれる金属が被転写体と結合することを特徴とする熱転写用トナー。
【請求項２】　結着樹脂７５．０〜９８．０重量％、ワックス０．５〜５．０重量％、顔料１．０〜１５．０重量％及び外添剤０．０５〜３．０重量％を含む請求項１に記載の熱転写用トナー。
【請求項３】　金属イオン及び金属錯体イオンの金属は、錫、マンガン、セリウム、銀、亜鉛、マグネシウム、ジルコニウム、ベリリウム、銅、アルミニウム、クロム、ニッケル、コバルト、鉄、バリウム、カルシウム、チタン及びインジウムの１種又は２種以上である請求項１に記載の熱転写用トナー。
【請求項４】　金属錯体イオンは塩基性である請求項１〜３のいずれか１項に記載の熱転写用トナー。
【請求項５】　金属錯体イオンは、水酸化クロムイオン、塩化クロムイオン、塩化亜鉛イオン及び硫酸クロムイオンから選択された１種又は２種以上である請求項１〜４のいずれか１項に記載の熱転写用トナー。
【請求項６】　カルボキシイオンを有する有機化合物は、サリチル酸、サリチル酸の誘導体、ナフトエ酸及びナフトエ酸誘導体の１種又は２種以上である請求項１〜５のいずれか１項に記載の熱転写用トナー。
【請求項７】　一般式（Ｉ）で示す金属イオンとカルボキシイオンを有する有機化合物の塩及び一般式（ＩＩ）で示す複数の金属錯体イオンとカルボキシイオンを有する有機化合物の塩を含有する帯電制御剤０．３〜５．０重量％を含む熱転写用トナーを使用して電子写真方式により、シートに原図を複写する工程と、
ｎ［Ｒ−ＣＯＯ］−・［Ｍ］ｎ＋　（Ｉ）
ｎ［Ｒ−ＣＯＯ］−・［ＣＭ］ｎ＋　（ＩＩ）
（Ｍは金属、ＣＭは金属錯体、Ｒは置換基を有してもよいアリール基、ｎは１〜８の整数を示す）
原図を複写したシートを布、皮革又は樹脂製である被転写体に密着させて加熱して、熱転写用トナー中で均一に分散された帯電制御剤に含まれる金属を被転写体と結合させる工程とを含むことを特徴とする転写法。
【請求項８】　シートは、離型剤を含む紙又は樹脂製のフィルムである請求項７に記載の転写法。
【請求項９】　離型剤は、シリコーン樹脂又はフッ素樹脂である請求項８に記載の転写法。」
   なお、訂正後の本件請求項１ないし９に係る発明を、以下番号順に、「本件発明１」、「本件発明２」・・・「本件発明９」のようにいう。
　
３−２　特許異議申立の理由及び取消理由の概要
  異議申立人は、下記に示す甲第１号証ないし甲第５号証を提出して、訂正前の請求項１〜６に係る発明は、甲第１号証ないし甲第４号証に記載された発明に基づいて、また、訂正前の請求項７〜１０に係る発明は、甲第１号証ないし甲第５号証に記載された発明に基づいて、当業者が容易に発明をすることができたものであって、特許法第２９条第２項の規定により特許を受けることができないものであるから、本件請求項１〜１０に係る発明の特許は取り消されるべきものである旨主張している。
　　　　　　　　　　　　　　　　記
甲第１号証　特開平９−１２４６５９号公報　
甲第２号証　「化学大辞典３」共立出版株式会社、昭和５５年９月１５日発行、１９９〜２０１頁
甲第３号証　特開平９−１６６８９１号公報　
甲第４号証　特開平３−１７１６２号公報
甲第５号証　特開平１１−７０７９４号公報
　当審が通知した取消理由の概要は、本件出願の訂正前の請求項１〜６に係る発明は、刊行物１（特開平９−１２４６５９号公報、甲第１号証）、刊行物２（化学大辞典３、甲第２号証）、刊行物３（特開平９−１６６８９１号公報、甲第３号証）に記載された発明に基づいて、また、訂正前の請求項７〜１０に係る発明は、刊行物１〜３及び刊行物４（特開平１１−７０７９４号公報、甲第５号証）に記載された発明に基づいて、当業者が容易に発明をすることができたものであるから、特許法第２９条第２項の規定により特許を受けることができない、というものである。　
　
 ３−３  引用刊行物等の記載事項
　刊行物１には、次の事項が記載されている。
（１ａ）「【請求項１】式［Ｉ］で表わされる、芳香族オキシカルボン酸を配位子とする金属化合物。　
【化１】
（式［Ｉ］中、Ｒ１、Ｒ２、Ｒ３及びＲ４は、それぞれ独立して、水素、直鎖若しくは分岐鎖のアルキル基、又は直鎖若しくは分岐鎖の不飽和アルキル基を示す。・・・。Ｍは金属を示し、ｍは３以上の整数を示し、ｎは２以上の整数を示す。）　
　・・・（請求項２〜５省略）・・・　
【請求項６】請求項１、２、３、４又は５記載の金属化合物を有効成分とする荷電制御又は増強剤。　
　・・・（請求項７省略）・・・　
【請求項８】請求項６又は７記載の荷電制御又は増強剤を荷電制御のために含むと共に、着色剤及び樹脂を含んでなる静電荷像現像用トナー。」（特許請求の範囲）、　
（１ｂ）「本発明は、・・・耐環境性・・・、保存安定性・・・、及び特に熱時安定性と耐久性・・・に優れ、トナーに用いられる場合のトナーの定着性やオフセット特性に悪影響を与えない荷電制御又は増強剤；並びにその荷電制御又は増強剤を用いた静電荷像現像用トナー・・・を提供することにある。」（段落【００１０】）、　
（１ｃ）「本発明の金属化合物の中心金属Ｍとしては、・・・、好ましいものは、原子価が３価の金属である。その具体例としては、Ｃｒ、Ａｌ、Ｔｉ、Ｆｅ、Ｎｉ、Ｃｏ、Ｍｎ、Ｓｉ及びＳｎ等を挙げることができる。」（段落【００１６】）、　
（１ｄ）「本発明の金属化合物の配位子に対応する芳香族オキシカルボン酸の具体例としては、・・・３，５−ジｔｅｒｔ−ブチルサリチル酸、・・・を挙げることができる。」（段落【００１８】）、　
（１ｅ）「本発明の静電荷像現像用トナーは、例えば次のように製造することができる。・・・樹脂、着色剤及び本発明の荷電制御剤、並びに必要に応じて磁性材料等を、ボールミルその他の混合機により充分混合した後、・・・溶融混練する。溶融混練されたものを冷却固化させた後、粉砕及び分級することにより、・・・トナーを得ることができる。　また、結着樹脂溶液中に他の材料を分散した後、噴霧乾燥することによりトナーを製造する方法や、結着樹脂を構成すべき単量体に所定材料を混合して乳化懸濁液とし、その後重合させてトナーを得る重合トナーの製造方等を応用することができる。」（段落【００５３】〜【００５４】）、　
（１ｆ）「本発明の静電荷像現像用トナーを１成分現像剤として用いる場合には、上記のようしてトナーを製造するに際に、・・・フェライト粉等の強磁性材料製の微粉体を適量添加分散させて用いることができる。」（段落【００５７】）、　
（１ｇ）「【発明の効果】本発明の金属化合物、特に３：２型の金属化合物及び６：４型の金属化合物は、化学構造が安定で耐久性と耐熱性に優れる。」（段落【００６７】）、
（１ｈ）「本発明の静電荷像現像用トナーは、荷電制御性、耐環境性、保存安定性、及び特に熱時安定性と耐久性に優れ、定着性やオフセット特性が良好である。また、荷電制御又は増強剤が無色又は淡色であるため、トナー画像の色調障害が生じ難い。」（段落【００６９】）、
（１ｉ）「実施例２［製造物例２の合成］
３，５−ジ−ｔｅｒｔ−ブチルサルチル酸３０ｇ（０．１２ｍｏｌ）及び水酸化ナトリウム６．０ｇ（０．１５ｍｏｌ）を水３００ｍｌに加え、６０℃に加熱して溶解させた。一方、硫酸第二クロム１１．８ｇ（０．３ｍｏｌ）と酢酸ナトリウム３水和物９．０ｇ（０．０７ｍｏｌ）を水３００ｍｌに加え、６０℃に加熱して溶解させた。この後者の溶液に、前者の溶液、すなわち３，５−ジ−ｔｅｒｔ−ブチルサルチル酸を溶解させた溶液を２０分間で滴下した。滴下終了後、その混合液を９０℃に昇温させ、２時間撹拌反応させた。その後、沈殿物を濾取水洗し、１００乃至１２０℃で乾燥させることにより、化合物例１７及び化合物例１８を含む淡緑色の粉体（製造物例２）２７．２ｇを得た。」（段落【００７７】〜【００７８】）、
（１ｊ）「実施例１４　
スチレン−アクリル共重合樹脂（三洋化成社製　商品名：ハイマー　ＳＭＢ６００）・・・・１００部
低重合ポリプロピレン（三洋化成社製　商品名：ビスコール　５５０Ｐ）・・・・２部
カーボンブラック（三菱化成社製　商品名：ＭＡ１００）・・・・５部
荷電制御剤（製造物例１）・・・・２部
上記配合物を高速ミキサーで均一にプレミキシングした後、熱ロールで溶融・混練し、冷却後、振動ミルで粗粉砕した。得られた粗砕物を分級機付のエアージェットミルを用いて微粉砕することにより、粒径１０乃至２０μｍの負帯電性トナーを得た。
　得られたトナー５部に対し、鉄粉キャリヤー（パウダーテック社製　商品名：ＴＥＦＶ　２００／３００）９５部を混合して現像剤を調製した。」（段落【０１１４】〜【０１１５】）、
（１ｋ）「また、このトナーを用いて市販の複写機により繰返し実写したところ、帯電安定性及び持続性が良好で、高温オフセット現象も認められず、画像の濃度低下やカブリ等のない良質な画像が得られた。」（段落【０１１７】）、
（１ｌ）「実施例１５　
実施例１４で用いた荷電制御剤を製造物例２に代え、実施例１４と同様にして本発明のトナー及び現像剤を調製して評価したところ、本現象剤の初期ブローオフ荷電量は−２２．１μＣ／ｇであった。この現象剤の低温低湿及び高温高湿での各初期ブローオフ荷電量は、それぞれ−２１．８μＣ／ｇ及び−２１．７μＣ／ｇと、非常に安定であり、保存安定性も良好であった。また、実施例１４の場合と同様に繰返し実写したところ、帯電安定性及び持続性が良好で、高温オフセット現象も認められず、画像の濃度低下やカブリ等のない良質な画像が得られた。」（段落【０１１８】）。　
　
　同じく刊行物２には、
（２ａ）「クロムかごうぶつ　−化合物」の項中［２］において「・・・３価クロム化合物の多くは錯塩である．クロム（ＩＩＩ）塩の水溶液・・・においては水分子の一部（または全部）がクロムイオンＣｒ３＋に配位してヘキサアコクロム（ＩＩＩ）イオン［Ｃｒ（ＯＨ２）６］３＋などの錯イオンを形成していることが多い．・・・ヘキサアコクロム（ＩＩＩ）イオンの水分子の一部（または全部）が酸基イオンで置換された種々の錯体が・・・水溶液中に存在することが知られている．」と記載されている。　
　
　同じく刊行物３には、次の事項が記載されている。　
（３ａ）「結着樹脂、着色剤及び電荷制御剤を少なくとも含有するトナー粒子を有する静電荷像現像剤において、該電荷制御剤は、・・・該芳香族カルボン酸誘導体の金属化合物及び無機陰イオンと無機陽イオンとから形成された無機化合物を有し、・・・静電荷像現像用トナー。」（特許請求の範囲、請求項１）、
（３ｂ）「・・・静電潜像保持体表面に搬送され、静電潜像保持体表面に形成された静電荷像を現像剤中のトナーにより現像する方法が一般的である。
トナー像は記録用転写材料（一般には紙）上に転写され、最後に熱あるいは圧力のエネルギーにより転写材料上に固定化される。」（段落【００１１】、【００１２】）、
（３ｃ）「アルミニウム化合物の製造例１　ＮａＯＨ０．５モルの水溶液と３，５−ジ−ｔｅｒｔ−ブチルサリチル酸０．４モルを混合し、加熱溶解した。この溶液をＡｌ２（ＳＯ４）３　０．１モルの水溶液に添加し加熱撹拌した後、溶液を中性に調整して濾別採取した。採取した白色沈殿物を水洗した後乾燥し、３，５−ジ−ｔｅｒｔ−ブチルサリチル酸アルミニウム化合物（Ａｌ化合物Ｎｏ．１）を得た。」（段落【０１０３】）、
（３ｄ）「クロム化合物の製造例　Ａｌ２（ＳＯ４）３のかわりにＣｒ２（ＳＯ４）３を用いる以外はアルミニウム化合物の製造例１と同様にしてＣｒ化合物を調製した。」（段落【０１０５】）、
（３ｅ）「電荷制御剤の製造例５　
Ｃｒ化合物を使用し、３，５−ジ−ｔｅｒｔ−ブチルサリチル酸及び硫酸ナトリウムの使用量を変える以外は、製造例１と同様にして電荷制御剤Ｎｏ．５を調製した。」（段落【０１１４】）、
（３ｆ）「実施例２乃至１１及び比較例１乃至７　
電荷制御剤Ｎｏ．２乃至１８を使用する以外は、実施例１と同様にしてシアントナーＮｏｓ２乃至１８を調製した。」（段落【０１３２】）。
　
　同じく刊行物４には、次の事項が記載されている。
（４ａ）「電子写真方式を用いて像受容体にトナー像を形成する画像形成方法であって、該像受容体が請求項１又は２記載の転写シートであり、像受容体にトナーを、少なくとも熱又は圧力のいずれかによって定着することを特徴とする画像形成方法。」（特許請求の範囲、請求項３）、　
（４ｂ）「本発明は・・・より詳細には複写装置で形成した転写シート上の画像を他の基材、例えば布、キャンバス、プラスチック、紙、木材、皮革、ガラス、陶器、金属等に再転写する工程に使用される転写シートに関するものである。又、これを用いた画像形成方法に関する。」（段落【０００１】）、
（４ｃ）「次に本発明で使用される支持体としては、紙、合成紙、布、不織紙、皮革、またポリエチレンテレフタレート、・・・、ポリエチレン、ポリプロピレン等の樹脂シート、金属板、金属箔等が挙げられる。」（段落【００４２】）、
（４ｄ）「発明の転写シート上に画像を形成するには、上述したような電子写真記録、感熱転写記録、熱昇華性染料を用いた感熱転写記録、インクジェット記録を適用する外にも、・・・適用することができる。」（段落【００４４】）。
　
　異議申立人が提出した甲第４号証（特開平３−１７１６２号公報、以下「刊行物５」という。）には、なめし革染色用のホスホン基を有するジスアゾ色素の金属錯塩染料について記載され、
（５ａ）「次に、第２の発明は、式［ＩＩ］（式略）［式中、Ｍｅは銅、ニッケル、コバルト、鉄又はクロムを示し、Ｘは・・・−ＣＯＯ−を示し、・・・］で表わされる金属錯塩染料である。」（２頁右下欄６〜１４行）、
（５ｂ）「本発明の金属錯塩染料が金属なめし革の染色において果たす作用の機構自体は明かでないが、本発明の染料が有するホスホン基が金属なめし革中の金属、例えば、クロムイオンと配位結合又は反応して結合することにより、・・・摩擦堅牢性に優れ且つ浸透性が良好なものとなり、而も・・・安定な金属錯塩構造を形成し、・・・と推定される。」（５頁右左上欄６〜１５行）、と記載されている。
　
３−４　当審の判断
（１）本件発明１について
　刊行物１記載の実施例２では、「製造物例２」（帯電制御剤）の合成において、硫酸第二クロムを溶解させた溶液に、３，５−ジ−ｔｅｒｔ−ブチルサルチル酸を溶解させ、水酸化ナトリウムを含む溶液を加えており（１ｉ）、この段階で、３，５−ジ−ｔｅｒｔ−ブチルサルチル酸と硫酸第二クロムが水酸化ナトリウムを含む溶液中において同時に存在する。そして、刊行物２には、溶液中では、硫酸第二クロムから錯体イオンが生成し、種々の錯体が存在することが記載されているので、「製造物例２」に記載の混合溶液中は、クロムイオンのみならず、複数のクロム錯体イオン及び３，５−ジ−ｔｅｒｔ−ブチルサルチル酸イオンを含有するものとなっていると認められ、生成したクロムイオンと３，５−ジ−ｔｅｒｔ−ブチルサルチル酸イオンとから、また、複数のクロム錯体イオンと３，５−ジ−ｔｅｒｔ−ブチルサルチル酸イオンとからはそれぞれ塩が形成されるから、刊行物１の「製造物例２」の製造物は、クロムイオンと３，５−ジ−ｔｅｒｔ−ブチルサルチル酸イオンを有する塩、及び複数のクロム錯体イオンと３，５−ジ−ｔｅｒｔ−ブチルサルチル酸イオンを有する塩を含有するものであるといえる。
　そして、刊行物１の実施例１５には、製造物例２の帯電制御剤を用い、実施例１４と同様にしてトナーを調整したことが記載され、実施例１４には、スチレン−アクリル共重合樹脂１００重量部、低重合ポリプロピレン２重量部、カーボンブラック５重量部、帯電制御剤２重量部を用いトナーを製造したことが記載されているから、実施例１５に記載のトナー中の、結着樹脂、ワックス、顔料及び帯電制御剤の割合は、それぞれ約９２重量％、約１．８重量％、約４．５重量％及び約１．８重量％である。
　そうすると、刊行物１の実施例１５には、「クロムイオンと３，５−ジ−ｔｅｒｔ−ブチルサルチル酸イオンを有する塩、及び複数のクロム錯体イオンと３，５−ジ−ｔｅｒｔ−ブチルサルチル酸イオンを有する塩を含有するを含有し、結着樹脂約９２重量％、低重合ポリプロピレン約１．８重量％、カーボンブラック約４．５重量％、帯電制御剤約１．８重量％を含むトナー」（以下、「刊行物１に記載されたトナー」という。）の発明が記載されていると認められる。
　以上の点を考慮して、本件発明１と刊行物１に記載されたトナーの発明を対比すると、 両者は、本件請求項１記載の一般式（Ｉ）で示す金属イオンとカルボキシイオンを有する有機化合物の塩及び一般式（ＩＩ）で示す複数の金属錯体イオンとカルボキシイオンを有する有機化合物の塩を含有する帯電制御剤０．３〜５．０重量％を含むトナーである点で一致し、次の点で相違する。
　相違点１：本件発明１では、トナーが「熱転写用」であり、該トナーを用い「布、皮革又は樹脂製である被転写体に転写するとき」に、「熱転写用トナー中で均一に分散された帯電制御剤に含まれる金属が被転写体と結合する」のに対し、刊行物１に記載されたトナーは、「熱転写用」であるか否か不明であり、「布、皮革又は樹脂製である被転写体」に転写するときの被転写体との結合の状態が明らかでない点。
　上記相違点１について検討する。
　本件発明１の「熱転写用トナー」について、明細書に「原図を布等の被転写体に転写できる熱転写用トナー」（段落【０００１】）と記載され、原図について「静電複写装置を使用してオリジナル画像（原図）を感光ドラム表面に静電潜像として形成した後、・・・トナー現像を形成し、トナー現像を転写部で布等に転写して、定着部でトナーを布等に熱溶融定着させて被写捺染する」と記載されていることから、「熱転写用トナー」は、静電複写装置を使用して原図を感光ドラム表面に静電潜像として形成した後、トナー現像を形成し、定着部でトナーを熱溶融させて転写する用途に用いるトナーを含むものと解される。
　そして、トナー現像を定着部で転写材に転写する際に加熱して圧着することは普通であり、刊行物１に記載されたトナーは、低温で溶融する低重合ポリプロピレンを含有していること、帯電制御剤が耐熱性であること（１ｇ、１ｈ、１ｊ）からみて、定着部で熱転写されるものであることは明らかであるから、トナーを「熱転写用」とした点は実質的な差異ではない。
　さらに、刊行物１に記載されたトナーにおいて、帯電制御材を含むトナー配合物は高速ミキサーで均一にプレミキシングされており（１ｊ）、帯電制御剤はトナー中に均一に分散されているものと認められる。
　また、感光ドラム上形成されたトナー像をＯＨＰシート等の樹脂製の被転写体に転写することは周知であるから、刊行物１に記載された発明のトナーを、樹脂製の被転写体に転写することは当業者が適宜なしうることであり、刊行物１に記載されたトナーを、樹脂製の被転写体に熱転写すれば、トナーは被転写体に固着し、帯電制御剤に含まれる金属が被転写体と結合すると認められる。
　したがって、本件発明１は、刊行物１に記載された発明及び周知技術に基づいて当業者が容易に発明をすることができたものである。
　
（２）本件発明２について  
　本件発明２は本件発明１において、結着樹脂、ワックス、顔料及び外添剤の重量割合を限定したものであるが、刊行物１に記載されたトナーは、結着樹脂、ワックス（低重合ポリプロピレン）、顔料（カーボンブラック）の含有率がそれぞれ約９２重量％、約１．８重量％、約４．５重量％であり、本件発明２で規定する含有率と重複する。
　また、実施例１４には、外添剤を配合することは記載されていないが、トナー製造において外添剤を使用することは周知であるから（例えば、特開昭６２−１８２７５３号公報参照）、刊行物１記載のトナーにおいて、外添剤を添加することは、当業者が容易になしうることであり、その配合量を０．０５〜３．０重量％とすることは、トナーの性能を考慮し当業者が適宜決定し得ることにすぎない。
  したがって、本件発明２は、刊行物１に記載された発明及び周知技術に基づいて当業者が容易に発明をすることができたものである。
　
（３）本件発明３について 
  本件発明３は本件発明１において、「金属イオンと金属錯体イオンの金属」をクロム等に限定したものであるが、刊行物１に記載された発明のトナーは、クロムイオン及びクロム錯体イオンを含むから、本件発明３とは「金属イオンと金属錯体イオンの金属」の種類がクロムである点で一致する。
　したがって、本件発明３は、本件発明１と同様の理由により、刊行物１に記載された発明及び周知技術に基づいて当業者が容易に発明をすることができたものである。
　
（４）本件発明４について
　本件発明４は本件発明１〜３において、「金属錯体イオン」を塩基性のものに限定したものである。刊行物１記載の実施例２の「製造物例２の合成」で、水酸化ナトリウムと硫酸第二クロムを含むアルカリ性溶液中では、塩基性の塩の一種である「ヒドロキソ錯体」（刊行物２の「クロムかごうぶつ」の項（１９９〜２００頁）中、２００頁右欄４〜１１行の記載、「理化学辞典　第５版」１９９８年、３７６頁「塩基性塩」の項、２７５頁「ヒドロキソ錯体」の項の各記載参照。）、ヘキサアコクロム（III）イオン［Ｃｒ（ＯＨ２）６］３＋の一部又は全部が硫酸イオンで置換された、硫酸クロムイオン錯体が生じるから、「製造物例２」で合成される有機化合物の塩が有する金属錯体イオンは塩基性である。
　そうすると、刊行物１記載の発明のトナーが含む金属錯体イオンも塩基性であるから、本件発明４は、本件発明１〜３と同様の理由により、刊行物１に記載された発明及び周知技術に基づいて当業者が容易に発明をすることができたものである。
　
（５）本件発明５について
　本件発明５は本件発明１〜４において、「金属錯体イオン」を水酸化クロムイオン、塩化クロムイオン、塩化亜鉛イオン及び硫酸クロムイオンから選択された１種又は２種以上に限定したものである。刊行物１記載の実施例２の「製造物例２の合成」では、水酸化ナトリウムと硫酸第二クロムを含む溶液を使用しており、水酸化クロムイオン、硫酸クロムイオンが形成されていると認められるから（上記（４）参照）、製造物例２の帯電制御剤を含む、刊行物１に記載された発明のトナーが含む金属錯体イオンも当然、水酸化クロムイオン及び硫酸クロムイオンから選択されたものである。
　したがって、本件発明５は、本件発明１〜４と同様の理由により、刊行物１に記載された発明及び周知技術に基づいて当業者が容易に発明をすることができたものである。
　
（６）本件発明６について
  本件発明６は本件発明１〜５において、「カルボキシイオンを有する有機化合物」をサリチル酸、サリチル酸の誘導体等に限定したものであるが、刊行物１に記載された発明のトナーは有機化合物としてサリチル酸の誘導体を用いるものである。
  したがって、本件発明６は、本件発明１〜５と同様の理由により、刊行物１に記載された発明及び周知技術に基づいて当業者が容易に発明をすることができたものである。
　
（７）本件発明７について
   刊行物１の実施例１５には、クロムイオンと３，５−ジ−ｔｅｒｔ−ブチルサルチル酸イオンを有する塩、及び複数のクロム錯体イオンと３，５−ジ−ｔｅｒｔ−ブチルサルチル酸イオンを有する塩を含有する帯電制御剤を約１．８重量％含有する（上記（１）参照）静電荷像現像用トナーを用いる複写方法（以下、「刊行物１に記載された複写方法」という。）の発明が記載されていると認められる（１ｉ〜１ｌ）。
　そこで、 本件発明７と刊行物１に記載された複写方法の発明を対比すると、両者は、本件請求項１記載の一般式（Ｉ）で示す金属イオンとカルボキシイオンを有する有機化合物の塩及び一般式（ＩＩ）で示す複数の金属錯体イオンとカルボキシイオンを有する有機化合物の塩を含有する帯電制御剤０．３〜５．０重量％を含むトナーを使用して電子写真方式により、被転写物に像を複写する転写法である点で一致するが、少なくとも以下の点で相違する。
　相違点２：本件発明７では、電子写真方式により、シートに原図を複写する工程と、原図を複写したシートを布、皮革又は樹脂製である被転写体に密着させて加熱して、熱転写用トナー中で均一に分散された帯電制御剤に含まれる金属を被転写体と結合させる工程とを含むのに対し、刊行物１の実施例１５に記載された複写方法では、電子写真方式により原図を転写させることが記載されているだけであり、転写されたシートを、さらに、布、皮革又は樹脂製である被転写体に密着させて加熱し、帯電制御剤に含まれる金属を被転写体と結合させる工程を備えることは記載されていない点。　
　上記相違点２について検討する。　
　刊行物１には、製造されたトナーを用いて通常の複写機により像を転写することが記載されているだけであり、転写物をさらに別の被転写体に密着させて加熱することについては全く記載がなく、また示唆もない。
　一方、刊行物４には、電子写真記録方式で画像を形成した転写シートを布、皮革又は樹脂製等の被転写体に重ね加熱して再転写する転写法が記載されているが（４ａ〜４ｄ）、電子写真記録に使用するトナーの成分については記載されていない。そして、本件発明７では、相違点２に係る工程を有する転写法において、特定の帯電制御剤を有するトナーを用いることにより、原図を複写したシートから、さらに布、皮革または樹脂性である被転写体に熱転写されたトナーの、被転写体に対する定着性及び耐久性が向上し、被転写体を長期間使用することができるという顕著な効果が奏されるものであり、本件発明７は、刊行物１に記載されたトナー及び刊行物４に記載された転写法に基づいて当業者が容易になしえたものとすることはできない。
　また、刊行物２には、３価クロム化合物が錯イオンを形成することが、刊行物３には、静電荷像現像用トナーが芳香族カルボン酸誘導体（例、３，５−ジ−ｔｅｒｔ−ブチルサルチル酸）の金属化合物を含むこと（３ａ、３ｃ）、トナー像は転写材料上に転写され、最後に熱により転写材料上に固定化されること（３ｂ）が記載されているが、トナー像が形成された転写材料を、被転写体に密着させて加熱することは記載も示唆もない。
　刊行物５には、金属錯塩染料と金属なめし革の染色に関する発明が記載され（５ａ）、染料のホスホン基と金属なめし革中の金属との結合が推定されるという記載があるが（５ｂ）、トナーを用いる電子写真記録方式の画像形成とは技術内容、技術分野が全く異なる。
  したがって、本件発明７は、刊行物１ないし５に記載された発明に基づき当業者が容易に発明をすることができたものとすることはできない。
　
（８）本件発明８、９について
　本件発明８、９は、本件発明７の特定事項をすべて備えた上で更に限定を加えるものであるので、上記（７）で述べたのと同様な理由により、本件発明８、９は刊行物１ないし５に記載された発明に基づき当業者が容易に発明をすることができたものではない。
　
　なお、訂正前の請求項９に係る発明は、訂正の結果削除されたので、該発明に対する異議申立人の主張は判断する対象がない。
　
４　むすび 
　以上のとおり、本件の請求項１ないし６に係る発明は、特許法第２９条第２項の規定に違反してされたものであるから、本件の請求項１ないし６に係る発明についての特許は取り消されるべきものである。
  また、請求項７ないし９に係る発明の特許は、特許異議の申立ての理由によっては、取り消すことはできず、他に請求項７ないし９に係る発明についての特許を取り消すべき理由を発見しない。
　よって、結論のとおり決定する。
【異議決定日】
平成１７年１月１４日（２００５．１．１４）
【訂正の要旨】
審決（決定）の【理由】欄参照。
（５４）【発明の名称】
熱転写用トナー及び転写法
（５７）【特許請求の範囲】
　【請求項１】　一般式（Ｉ）で示す金属イオンとカルボキシイオンを有する有機化合物の塩及び一般式（ＩＩ）で示す複数の金属錯体イオンとカルボキシイオンを有する有機化合物の塩を含有する帯電制御剤０．３〜５．０重量％を含み、
　　ｎ［Ｒ−ＣＯＯ］−・［Ｍ］ｎ＋　　　　　　　　　　　　　　　　（Ｉ）
　　ｎ［Ｒ−ＣＯＯ］−・［ＣＭ］ｎ＋　　　　　　　　　　　　　　（ＩＩ）
（Ｍは金属、ＣＭは金属錯体、Ｒは置換基を有してもよいアリール基、ｎは１〜８の整数を示す）
　布、皮革又は樹脂製である被転写体に転写するとき、熱転写用トナー中で均一に分散された帯電制御剤に含まれる金属が被転写体と結合することを特徴とする熱転写用トナー。
　【請求項２】　結着樹脂７５．０〜９８．０重量％、ワックス０．５〜５．０重量％、顔料１．０〜１５．０重量％及び外添剤０．０５〜３．０重量％を含む請求項１に記載の熱転写用トナー。
　【請求項３】　金属イオン及び金属錯体イオンの金属は、錫、マンガン、セリウム、銀、亜鉛、マグネシウム、ジルコニウム、ベリリウム、銅、アルミニウム、クロム、ニッケル、コバルト、鉄、バリウム、カルシウム、チタン及びインジウムの１種又は２種以上である請求項１に記載の熱転写用トナー。
　【請求項４】　金属錯体イオンは塩基性である請求項１〜３のいずれか１項に記載の熱転写用トナー。
　【請求項５】　金属錯体イオンは、水酸化クロムイオン、塩化クロムイオン、塩化亜鉛イオン及び硫酸クロムイオンから選択された１種又は２種以上である請求項１〜４のいずれか１項に記載の熱転写用トナー。
　【請求項６】　カルボキシイオンを有する有機化合物は、サリチル酸、サリチル酸の誘導体、ナフトエ酸及びナフトエ酸誘導体の１種又は２種以上である請求項１〜５のいずれか１項に記載の熱転写用トナー。
　【請求項７】　一般式（Ｉ）で示す金属イオンとカルボキシイオンを有する有機化合物の塩及び一般式（ＩＩ）で示す複数の金属錯体イオンとカルボキシイオンを有する有機化合物の塩を含有する帯電制御剤０．３〜５．０重量％を含む熱転写用トナーを使用して電子写真方式により、シートに原図を複写する工程と、
　　ｎ［Ｒ−ＣＯＯ］−・［Ｍ］ｎ＋　　　　　　　　　　　　　　　　（Ｉ）
　　ｎ［Ｒ−ＣＯＯ］−・［ＣＭ］ｎ＋　　　　　　　　　　　　　　（ＩＩ）
（Ｍは金属、ＣＭは金属錯体、Ｒは置換基を有してもよいアリール基、ｎは１〜８の整数を示す）
　原図を複写したシートを布、皮革又は樹脂製である被転写体に密着させて加熱して、熱転写用トナー中で均一に分散された帯電制御剤に含まれる金属を被転写体と結合させる工程とを含むことを特徴とする転写法。
　【請求項８】　シートは、離型剤を含む紙又は樹脂製のフィルムである請求項７に記載の転写法。
　【請求項９】　離型剤は、シリコーン樹脂又はフッ素樹脂である請求項８に記載の転写法。
【発明の詳細な説明】
　【０００１】
　【発明の属する技術分野】
　本発明は、電子複写技術、特に優れた定着性及び耐久性で原図を布等の被転写体に転写できる熱転写用トナー及び転写法に属する。
　【０００２】
　【従来の技術】
　電子写真技術を利用して静電複写装置により文字、図柄模様を描き出す方法は公知である。また、静電複写装置を使用してオリジナル画像（原図）を感光ドラム表面に静電潜像として形成した後、顔料を含むトナーを静電力で飛着させトナー現像を形成し、トナー現像を転写部で布等に転写して、定着部でトナーを布等に熱溶融定着させて被写捺染する方法も公知である。
　【０００３】
　例えば、特開平３−４８８６０号公報には、トナー像に対して接着性を有する表面層を持つ転写材上に定着トナー像を形成し、このトナー像が形成された転写材表面を像受容体と対向接触させて、トナーの軟化点以上の状態で像受容体と転写材を分離することによりトナー像の厚み方向の一部を像受容体に転写するトナー像受容体の製造方法が開示されている。受容体は、ネクタイ、シャツ等の衣料品、カーテン、シーツ等の装飾品等の布地が使用される。
　【０００４】
　また、特開平９−８７９８０号公報には、所定の模様や文字をプリントしたシートを用いてＴシャツ等の布地面やその他の物品にプリントする電子画像のプリント方法が開示されている。このプリント方法では、基材と離型層とポリビニルアセテート層（ＰＶＡ層）又はポリエステル樹脂層からなるＡシートと、基材、離型層、接着層及び色彩層からなるＢシートの２枚のシートを用いて何れかのシート面にコピーをして所定の模様や文字等をトナー層によって形成し、トナー層を間にして両シートを重ね合わせると共に所定の温度で加熱・プレスした後に表面のＰＶＡ層又はポリエステル樹脂層を剥がすことによってプリントが行われる。
　【０００５】
　【発明が解決しようとする課題】
　しかしながら、布等の被転写体に付着したトナーの定着性及び耐久性は著しく悪いのが実状である。
　本発明は、優れた定着性及び耐久性で原図を被転写体に転写できる熱転写用トナー及び転写法を提供することを目的とする。
　【０００６】
　【課題を解決するための手段】
　本発明による熱転写用トナーは、一般式（Ｉ）で示す金属イオンとカルボキシイオンを有する有機化合物の塩及び一般式（ＩＩ）で示す複数の金属錯体イオンとカルボキシイオンを有する有機化合物の塩を含有する帯電制御剤０．３〜５．０重量％を含み、
　　ｎ［Ｒ−ＣＯＯ］−・［Ｍ］ｎ＋　　　　　　　　　　　　　　　　（Ｉ）
　　ｎ［Ｒ−ＣＯＯ］−・［ＣＭ］ｎ＋　　　　　　　　　　　　　　（ＩＩ）
（Ｍは金属、ＣＭは金属錯体、Ｒは置換基を有してもよいアリール基、ｎは１〜８の整数を示す）
布、皮革又は樹脂製である被転写体に転写するとき、熱転写用トナー中で均一に分散された帯電制御剤に含まれる金属が被転写体と結合する。
　帯電制御剤の含有量が０．３重量％に満たないと、耐久性が低下し、５．０重量％を超えると耐久性は同じであるが、製造価格が増加する。
　【０００７】
　金属イオンとカルボキシイオンを有する有機化合物の塩及び複数の金属錯体イオンとカルボキシイオンを有する有機化合物の塩を使用するので、トナー中で均一に分散された帯電制御剤に含まれる金属が布皮革、合成皮革、フィルム等の被転写体と結合し、被転写体に転写、定着されたトナーの定着性が向上する。また、帯電制御剤がトナー中で均一に分散してトナーの帯電性を均一にするので、被転写体にトナーが均一に付着定着し耐久性が向上する。
　本発明による転写法は、一般式（Ｉ）で示す金属イオンとカルボキシイオンを有する有機化合物の塩及び一般式（ＩＩ）で示す複数の金属錯体イオンとカルボキシイオンを有する有機化合物の塩を含有する帯電制御剤０．３〜５．０重量％を含む熱転写用トナーを使用して電子写真方式により、シートに原図を複写する工程と、
　　ｎ［Ｒ−ＣＯＯ］−・［Ｍ］ｎ＋　　　　　　　　　　　　　　　　（Ｉ）
　　ｎ［Ｒ−ＣＯＯ］−・［ＣＭ］ｎ＋　　　　　　　　　　　　　　（ＩＩ）
（Ｍは金属、ＣＭは金属錯体、Ｒは置換基を有してもよいアリール基、ｎは１〜８の整数を示す）
原図を複写したシートを布、皮革又は樹脂製である被転写体に密着させて加熱して、熱転写用トナー中で均一に分散された帯電制御剤に含まれる金属を被転写体と結合させる工程とを含む。
　【０００８】
　【発明の実施の形態】
　本発明の実施の形態では、金属イオン及び金属錯体イオンの金属は、錫、マンガン、セリウム、銀、亜鉛、マグネシウム、ジルコニウム、ベリリウム、銅、アルミニウム、クロム、ニッケル、コバルト、鉄、バリウム、カルシウム、チタン及びインジウムの１種又は２種以上である。金属錯体イオンは、水酸化クロムイオン、塩化クロムイオン、塩化亜鉛イオン及び硫酸クロムイオン等から選択された１種又は２種以上の塩基性金属錯体イオンである。カルボキシイオンを有する有機化合物は、サリチル酸、サリチル酸の誘導体、ナフトエ酸及びナフトエ酸誘導体の１種又は２種以上である。
　【０００９】
　熱転写用トナーは、結着樹脂７５．０〜９８．０重量％、ワックス０．５〜５．０重量％、顔料１．０〜１５．０重量％、トナーに対し外添剤０．０５〜３．０重量％を含む。トナー中の結着樹脂、ワックス及び顔料は、帯電制御剤により分散が良くなり、トナーの帯電性を均一にして画質を向上する。トナーの結合材となる結着樹脂は、スチレンアクリル共重合体、スチレンブタジエン共重合体、ポリエステル樹脂、ポリアミド樹脂等を使用することができる。結着樹脂の使用量は７５．０〜９８．０重量％であり、好ましくは８０．０〜９０．０重量％である。結着樹脂の量７５．０重量％未満であると、被転写体への画質にむらが発生し、定着性が低下すると共に、９８．０重量％超であると濃度が低くなる。熱転写トナー中に添加され滑性を付与するワックスは、パラフィンワックス、モンタンワックス、ポリオレフィンワックス、カルナパワックス、高級脂肪族アルコール等である。ワックスは、オフセット防止のために使用し、トナーが被転写体へ加熱溶融して定着するとき、被転写体への濡れ性及び定着性を良くして、トナーの耐久性を向上する。ワックスの使用量は０．５〜５．０重量％、好ましくは１．０〜３．０重量％が適当である。ワックスの使用量が０．５重量％未満であると、被転写体へのコールドオフセットが起こり、５．０重量％を超えるとホットオフセットが起こる。
　【００１０】
　カーボンブラック、アニリンブラック、マグネタイト、フェライト、フタロシアニンブルー、インダンスレンブルー、パーマネントレッド、ブリリアントカーミン、ハンザイエロー、パーマネントイエロー、ベンジジンイエロー等の顔料を熱転写トナーに配合してカラートナーとして使用することができる。顔料の使用量は１．０〜１５．０重量％、好ましくは２．０〜６．０重量％が適当である。１．０重量％未満であると被転写体への色相が劣り、１５．０重量％を超えると、定着性が低下する。外添剤は、疎水性コロイダルシリカ、ポリフッ化ビニリデン、酸化セリウム、チタン酸ストロンチウム、酸化アルミニウム、酸化アンチモン、酸化スズ等を使用することができる。外添剤は、生成された生トナーの帯電量を制御して画質を良くする。トナーの帯電性が均一であると、被転写体へトナーが均一に付着定着し、トナーの耐久性を向上する。外添剤の量は０．０５〜５．０重量％、好ましくは０．５〜３．０重量％が適当である。外添剤の量が０．０５重量％未満であるとトナーの飛翔量（濃度）が劣り、５．０重量％超であると効果が同じとなる。
　【００１１】
　本発明による転写法に使用する被転写体は、Ｔシャツ、ネクタイ、ハンカチ、ゼッケン等の布、皮革、ウレタン製等の合成皮革、フィルム等である。帯電制御剤に含まれる金属がこれらの被転写体と結合し、被転写体に転写、定着されたトナーの定着性及び耐久性が向上する。シートは、離型剤を含む紙又は樹脂製のフィルムである。例えば、紙は離型剤を含む普通紙、上質紙を使用することができる。被転写体は、布、皮革又は樹脂製である。離型剤は、シリコーン樹脂又はフッ素樹脂である。
　【００１２】
　【実施例】
［実施例１］　シアントナー現像剤の作成
　スチレンアクリル共重合体：９０部、低分子量ポリプロピレン（ポリオレフィンワックス）［ＮＰ−５０５（三井石油化学社製）］：３部、インダンスレンブルー：５部、帯電制御剤：２部の配合割合でシアントナーを製造した。帯電制御剤は、３，５−ジターシャリブチルサリチル酸イオンと、クロムイオン、塩基性硫酸クロムイオン・塩基性水酸化クロムイオンを含む複数の金属錯体イオンの混合物との塩である。得られたシアントナーを混合機（ヘンシェルミキサ）で乾式混合した後、１３０℃の温度に保持した２軸混練機で混練した。得られた混練物を冷却し、ハンマーミルで約２ｍｍ以下に粗粉砕した後、粗粉分級機能を有するジェット粉砕機で微粉末状に粉砕した。得られた粉末物質を気流式分級機で分級して生成した平均粒径９．１μｍの生トナー１００部に疎水性コロイダルシリカ０．３部とチタン酸ストロンチウム１．０部を加え混合機（ヘンシェルミキサ）で混合した後、振動ふるいで凝集物を除去しトナーを得た。次にフェライト粉末のキャリア９５．０重量％と、トナー５．０重量％とを混合して現像剤を作成した。
　【００１３】
［実施例２］　マゼンタトナー現像剤の作成
　スチレンアクリル共重合体：９２部、低分子量ポリプロピレン：３部、パーマネントレッド：３部、帯電制御剤：２部の配合でマゼンタトナーを製造した。低分子量ポリプロピレン及び帯電制御剤は実施例１と同様である。
　得られたマゼンタトナーを混合機（ヘンシェルミキサ）で乾式混合した後、温度を１３０℃に保持した２軸混練機で混練した。得られた混練物を冷却し、ハンマーミルで約２ｍｍ以下に粗粉砕した後、粗粉分級機能を有するジェット粉砕機で微粉末に粉砕した。得られた粉末物質を気流式分級機で分級して生成した平均粒径９．０μｍの生トナー１００部に疎水性コロイダルシリカ０．３部とチタン酸ストロンチウム１．０部を加え混合機（ヘンシェルミキサ）で混合した後、振動ふるいで凝集物を除去しトナーを得た。次にフェライト粉末のキャリア９５．０重量％と、トナー５．０重量％とを混合して現像剤を作成した。
　【００１４】
［実施例３］　イエロートナー現像剤の作成
　スチレンアクリル共重合体：９３部、低分子量ポリプロピレン：３部、パーマネントイエロー：２部、帯電制御剤：２部の配合でイエロートナーを製造した。低分子量ポリプロピレン及び帯電制御剤は実施例１と同様である。
　イエロートナーを混合機（ヘンシェルミキサ）で乾式混合した後、温度を１３０℃に保持した２軸混練機で混練した。得られた混練物を冷却し、ハンマーミルで約２ｍｍ以下に粗粉砕した後、粗粉分級機能を有するジェット粉砕機で微粉末状に粉砕した。得られた粉末物質を気流式分級機で分級して生成した平均粒径９．２μｍの生トナー１００部に疎水性コロイダルシリカ０．３部とチタン酸ストロンチウム１．０部を加え混合機（ヘンシェルミキサ）で混合した後、振動ふるいで凝集物を除去しトナーを得た。次にフェライト粉末のキャリア９５．０重量％と、トナー５．０重量％とを混合して現像剤を作成した。
　【００１５】
［比較例１］　シアントナー現像剤の作成
　帯電制御剤として３，５−ジターシャリブチルサリチル酸クロムを使用すると共に、生トナー１００部を平均粒径９．０μｍの粒度に形成した以外は、実施例１と同様に、シアントナーを製造し、現像剤を作成した。
　【００１６】
［比較例２］　マゼンタトナー現像剤の作成
　帯電制御剤として３，５−ジターシャリブチルサリチル酸クロムを使用してマゼンタトナーを製造すると共に、生トナー１００部を平均粒径９．１μｍの粒度に形成した以外は、実施例２と同様に、現像剤を作成した。
　【００１７】
［比較例３］　イエロートナー現像剤の作成
　帯電制御剤として３，５−ジターシャリブチルサリチル酸クロムを使用してイエロートナーを製造すると共に、生トナー１００部を平均粒径９．１μｍの粒度に形成した以外は、実施例３と同様に、現像剤を作成した。
　【００１８】
［熱転写紙の作成及び熱転写紙から図柄模様の布への転写］
　実施例１〜実施例３及び比較例１〜比較例３で生成したシアントナー、マゼンタトナー、イエロートナー及びこれらの現像剤を使用し、市販のカラー複写機（商品名、Ａｃｏｌｏｒ　９３５・キャノン社製）により、フッ素系の離型剤を含む上質紙に図柄模様を複写し、熱転写紙を作成した。転写紙をポリエステル布に重ね、温度１３０℃で熱圧着し、ポリエステル布上に図柄模様を作成した。
　【００１９】
［実施例４］　シアントナー現像剤の作成
　ポリエステル樹脂：８６部、パラフィンワックス：５部、フタロシアニンブルー：８部、帯電制御剤：１部の配合で、シアントナーを製造した。帯電制御剤は、２−ヒドロキシ−３−ナフトエ酸イオンと、亜鉛イオン、塩基性塩化亜鉛イオン・塩基性水酸化クロムイオンを含む複数の金属錯体イオンの混合物との塩である。
　シアントナーを混合機（ヘンシェルミキサ）で乾式混合した後、温度を１３０℃に保持した２軸混練機で混練した。得られた混練物を冷却し、ハンマーミルで約２ｍｍ以下に粗粉砕した後、粗粉分級機能を有するジェット粉砕機で微粉砕した。得られた微粉末を気流式分級機で分級して生成した平均粒径９．０μｍの生トナー１００部に疎水性コロイダルシリカ０．５部と酸化錫２．０部を加え混合機（ヘンシェルミキサ）で混合した後、振動ふるいで凝集物を除去しトナーを得た。次にフェライト粉末のキャリア９５．０重量％と、トナー５．０重量％とを混合して現像剤を作成した。
　【００２０】
［実施例５］　マゼンタトナー現像剤の作成
　ポリエステル樹脂：８６部、パラフィンワックス：５部、ブリリアントカーミン：８部、帯電制御剤：１部の配合で、マゼンタトナーを製造した。帯電制御剤は、実施例４と同様である。平均粒径８．９μｍの生トナーを生成した以外は、マゼンタトナーを実施例４と同様に処理して現像剤を作成した。
　【００２１】
［実施例６］　イエロートナー現像剤の作成
　ポリエステル樹脂：８６部、パラフィンワックス：５部、ハンザイエロー：８部、帯電制御剤：１部の配合で、イエロートナーを製造した。帯電制御剤は実施例４と同様である。平均粒径９．１μｍの生トナーを生成した以外は、マゼンタトナーを実施例４と同様に処理して現像剤を作成した。
　【００２２】
［比較例４］　シアントナー現像剤の作成
　帯電制御剤としてボントロンＥ−８４（サリチル酸系金属錯体・オリエント化学社製）を使用した以外は実施例４と同様にシアントナーを製造した。平均粒径９．２μｍの生トナーを生成した以外は、シアントナーを実施例４と同様に処理して現像剤を作成した。
　【００２３】
［比較例５］　マゼンタトナー現像剤の作成
　帯電制御剤としてボントロンＥ−８４（サリチル酸系金属錯体・オリエント化学社製）を使用した以外は実施例５と同様にマゼンタトナーを製造した。平均粒径８．８μｍの生トナーを生成した以外は、マゼンタトナーを実施例５と同様に処理して現像剤を作成した。
　【００２４】
［比較例６］　イエロートナー現像剤の作成
　帯電制御剤としてボントロンＥ−８４（サリチル酸系金属錯体・オリエント化学社製）を使用した以外は実施例６と同様にイエロートナーを製造した後、現像剤を作成した。
　【００２５】
［熱転写フィルムの作成、熱転写フィルムから図柄模様の布への転写］
　実施例４〜実施例６及び比較例４〜比較例６で作成したシアントナー、マゼンタトナー、イエロートナー及びこれらの現像剤を使用し、市販のカラー複写機（商品名、Ａｃｏｌｏｒ　９３５・キャノン社製）により、シリコン系の離型剤を含むポリエステルフィルムに図柄模様を複写し、熱転写フィルムを作成した。転写フィルムをウレタン製合成皮革に重ね、温度１４０℃で熱圧着し、綿布上に図柄模様を作成した。
　【００２６】
［耐久性試験］
　得られた転写布の耐久性試験を下記のように行った。
（１）乾燥摩擦堅牢度（耐摩擦性）
　ＪＩＳ　Ｌ０８４９に従って摩擦堅牢度試験機Ｉ型で乾燥状態の摩擦用白綿布を用い１００回往復摩擦した。
（２）耐洗濯性
　ＪＩＳ　Ｌ０８９Ｆ−１法に従って家庭用洗濯機で洗濯後、脱水、風乾した。
（３）耐ドライクリーニング性（耐ＤＣ性）
　ＪＩＳ　Ｌ０８６０に従ってドライクリーニングを行った。
　耐摩擦性試験、耐洗濯性試験及び耐ＤＣ性試験では、１：模様が殆ど消失又は脱落する、２：模様が薄い又は模様の一部が脱落する、３：模様の一部が消失する、４：模様が僅かに薄い、５：模様が変化しないの５段階評価を５名のパネラーにより視覚的に行い、５名の評価値の平均値を採用した。耐久性試験の結果を表１に示す。
　【００２７】
　【表１】
　【００２８】
　【発明の効果】
　前記の通り、本発明による熱転写用トナー及び転写法では、転写体に対するトナーの定着性及び耐久性が向上するので、転写体を長期間使用することができる。